(57)【要約】本開示は、電子機器、情報処理装置及び情報処理方法に関する。一実施例によれば、基地局側に用いられる電子機器は処理回路を含む。処理回路は、少なくとも一つのユーザ機器のアンライセンスバンドにおけるアップリンク伝送の成功率に関する情報を取得するように配置されており、当該ユーザ機器は、コンテンションウィンドウサイズを可変とするランダムバックオフプロセスを含むチャネル検出プロセスを用いてアンライセンスバンドに対してキャリアセンスを行う。処理回路は、さらに、当該情報に基づいてユーザ機器のコンテンションウィンドウサイズを調整するように配置されている。処理回路は、さらに、調整されたコンテンションウィンドウサイズ又は調整されたコンテンションウィンドウサイズに基づいて生成されたランダムバックオフカウンタの値をユーザ機器に通知するように、制御を実行するように配置されている。【選択図】図１
2019510382.tif 000002
【特許請求の範囲】
【請求項１】
基地局側に用いられる電子機器であって、
処理回路を含み、
前記処理回路は、
少なくとも一つのユーザ機器のアンライセンスバンドにおけるアップリンク伝送の成功率に関する情報を取得し、前記ユーザ機器は、コンテンションウィンドウサイズを可変とするランダムバックオフプロセスを含むチャネル検出プロセスを用いて、前記アンライセンスバンドに対してキャリアセンスを行い、
前記情報に基づいて、前記ユーザ機器の前記コンテンションウィンドウサイズを調整し、
調整されたコンテンションウィンドウサイズ、又は前記調整されたコンテンションウィンドウサイズに基づいて生成されたランダムバックオフカウンタ値を、前記ユーザ機器に通知するように、制御を実行する、ように配置されている電子機器。
【請求項２】
前記情報は、前記ユーザ機器のうちの第１のユーザ機器の先行のアップリンク伝送バーストの少なくとも一つのサブフレームにおけるアップリンク伝送の成功率を指示し、前記第１のユーザ機器は、前記少なくとも一つのサブフレーム内でスケジューリングされ、且つ、
前記調整は、前記第１のユーザ機器の前記コンテンションウィンドウサイズの調整を含む請求項１に記載の電子機器。
【請求項３】
前記少なくとも一つのサブフレームは、前記第１のユーザ機器が前記先行のアップリンク伝送バーストにおいてスケジューリングされたサブフレームのうちの最後のサブフレームである請求項２に記載の電子機器。
【請求項４】
前記少なくとも一つのサブフレームは、前記第１のユーザ機器が前記先行のアップリンク伝送バーストにおいてスケジューリングされた全てのサブフレームを含む請求項２に記載の電子機器。
【請求項５】
前記情報は、全ての前記ユーザ機器の先行のアップリンク伝送バーストの少なくとも一つのサブフレームにおけるアップリンク伝送の成功率を指示する請求項１に記載の電子機器。
【請求項６】
前記少なくとも一つのサブフレームは、前記先行のアップリンク伝送バーストの最後の一つのサブフレームである請求項５に記載の電子機器。
【請求項７】
前記少なくとも一つのサブフレームは、前記先行のアップリンク伝送バーストの全てのサブフレームを含む請求項５に記載の電子機器。
【請求項８】
前記アップリンク伝送は、物理アップリンク共有チャネル伝送を含む請求項１〜７のいずれか一項に記載の電子機器。
【請求項９】
前記調整は、前記成功率が所定の閾値よりも低い場合に、前記コンテンションウィンドウサイズを大きくすることを含む請求項１〜７のいずれか一項に記載の電子機器。
【請求項１０】
前記コンテンションウィンドウサイズは、複数の所定のコンテンションウィンドウサイズから選択され、且つ、
前記調整は、前記所定のコンテンションウィンドウサイズに対する選択を切り替えることを含む請求項１〜７のいずれか一項に記載の電子機器
【請求項１１】
前記複数の所定のコンテンションウィンドウサイズは、チャネルアクセス優先度に応じて予め確定された複数のグループの所定のコンテンションウィンドウサイズを含む請求項１０に記載の電子機器。
【請求項１２】
前記処理回路は、アンライセンスバンドでの複数のキャリアの各々に対して、前記取得と前記調整とを行うように配置されており、
前記制御は、
相応するキャリアに対して調整されたコンテンションウィンドウサイズ、又は調整されたコンテンションウィンドウサイズに基づいて相応して生成されたランダムバックオフカウンタ値を前記ユーザ機器に通知して、相応するキャリアに用いることを含む請求項１〜７のいずれか一項に記載の電子機器。
【請求項１３】
前記処理回路は、アンライセンスバンドでの複数のキャリアの各々に対して、前記取得と前記調整とを行うように配置されており、
前記制御は、
各キャリアに対して調整されたコンテンションウィンドウサイズのうちの最大コンテンションウィンドウサイズに基づいて、ランダムバックオフカウンタ値を生成し、
前記最大コンテンションウィンドウサイズに基づいて生成された前記ランダムバックオフカウンタ値を、前記ユーザ機器に通知して、全部のキャリアのキャリアセンスに用いる、ことを含む請求項１〜７のいずれか一項に記載の電子機器。
【請求項１４】
前記処理回路は、
第１のユーザ機器が複数のキャリアの各々で先行のアップリンク伝送バーストにおいてスケジューリングされたサブフレームのうちの最後のサブフレームに応じて、前記情報を取得するとともに、第１のユーザ機器のプライマリキャリアに用いられるコンテンションウィンドウサイズを調整する方式、
第１のユーザ機器が前記複数のキャリアの各々で先行のアップリンク伝送バーストにおいてスケジューリングされた全てのサブフレームに応じて、前記情報を取得するとともに、第１のユーザ機器の前記プライマリキャリアに用いられるコンテンションウィンドウサイズを調整する方式、
全てのユーザ機器の前記複数のキャリアの各々での先行のアップリンク伝送バーストにおける最後のサブフレームに応じて、前記情報を取得するとともに、全てのユーザ機器の前記プライマリキャリアに用いられるコンテンションウィンドウサイズを調整する方式、及び
全てのユーザ機器の前記複数のキャリアの各々での先行のアップリンク伝送バーストにおける全てのサブフレームに応じて、前記情報を取得するとともに、全てのユーザ機器の前記プライマリキャリアに用いられるコンテンションウィンドウサイズを調整する方式、の一つにより、アンライセンスバンドでの複数のキャリアにおけるプライマリキャリアに対して前記取得と前記調整とを行うように配置される請求項１〜７のいずれか一項に記載の電子機器。
【請求項１５】
前記処理回路は、アンライセンスバンドでの複数のキャリアの各々に対して前記取得と前記調整を行うように配置されており、
前記制御は、
各キャリアに対して調整されたコンテンションウィンドウサイズのうちの最大コンテンションウィンドウサイズに基づいて、ランダムバックオフカウンタ値を生成し、
前記最大コンテンションウィンドウサイズに基づいて生成された前記ランダムバックオフカウンタ値を、前記ユーザ機器に通知して、プライマリキャリアのチャネル検出プロセスに用いることを含む請求項１〜７のいずれか一項に記載の電子機器
【請求項１６】
基地局側に用いられる情報処理装置であって、
送受信装置及び処理回路を含み、
前記処理回路は、
送受信装置が、少なくとも一つのユーザ機器のアンライセンスバンドにおけるアップリンク伝送の成功率に関する情報を取得し、前記ユーザ機器は、コンテンションウィンドウサイズを可変とするランダムバックオフプロセスを含むチャネル検出プロセスを用いて、前記アンライセンスバンドに対してキャリアセンスを行い、
前記情報に基づいて前記ユーザ機器の前記コンテンションウィンドウサイズを調整し、
調整されたコンテンションウィンドウサイズ、又は前記調整されたコンテンションウィンドウサイズに基づいて生成されたランダムバックオフカウンタ値を、前記ユーザ機器に通知するように、前記送受信装置を制御するように配置されている情報処理装置。
【請求項１７】
基地局側に用いられる情報処理方法であって、
少なくとも一つのユーザ機器のアンライセンスバンドにおけるアップリンク伝送の成功率に関する情報を取得し、前記ユーザ機器は、コンテンションウィンドウサイズを可変とするランダムバックオフプロセスを含むチャネル検出プロセスを用いて、前記アンライセンスバンドに対してキャリアセンスを行い、
前記情報に基づいて前記ユーザ機器の前記コンテンションウィンドウサイズを調整し、
調整されたコンテンションウィンドウサイズ、又は前記調整されたコンテンションウィンドウサイズに基づいて生成されたランダムバックオフカウンタ値を、前記ユーザ機器に通知する、ことを含む情報処理方法。
【請求項１８】
ユーザ機器側に用いられる電子機器であって、
処理回路を含み、
前記処理回路は、
コンテンションウィンドウサイズ、又は前記コンテンションウィンドウサイズに基づいて生成されたランダムバックオフカウンタ値を指示する情報を受信するように、制御を実行し、前記コンテンションウィンドウサイズは、少なくとも一つのユーザ機器のアンライセンスバンドにおけるアップリンク伝送の成功率に基づいて調整され、
前記コンテンションウィンドウサイズ、又は前記ランダムバックオフカウンタ値に基づいて、コンテンションウィンドウサイズを可変とするランダムバックオフプロセスを用いてアンライセンスバンドに対して行うキャリアセンスを制御するように配置されている電子機器。
【請求項１９】
ユーザ機器側に用いられる情報処理装置であって、
送受信装置及び処理回路を含み、
前記処理回路は、
コンテンションウィンドウサイズ、又は前記コンテンションウィンドウサイズに基づいて生成されたランダムバックオフカウンタ値を指示する情報を受信するように、前記送受信装置を制御し、前記コンテンションウィンドウサイズは、少なくとも一つのユーザ機器のアンライセンスバンドにおけるアップリンク伝送の成功率に基づいて調整され、
前記コンテンションウィンドウサイズ、又は前記ランダムバックオフカウンタ値に基づいて、前記送受信装置がコンテンションウィンドウサイズを可変とするランダムバックオフプロセスを用いてアンライセンスバンドに対してキャリアセンスを行うように制御するように配置されている情報処理装置。
【請求項２０】
ユーザ機器側に用いられる情報処理方法であって、
コンテンションウィンドウサイズ、又は前記コンテンションウィンドウサイズに基づいて生成されたランダムバックオフカウンタ値を指示する情報を受信し、前記コンテンションウィンドウサイズは、少なくとも一つのユーザ機器のアンライセンスバンドにおけるアップリンク伝送の成功率に基づいて調整され、
前記コンテンションウィンドウサイズ、又は前記ランダムバックオフカウンタ値に基づいて、コンテンションウィンドウサイズを可変とするランダムバックオフプロセスを用いてアンライセンスバンドに対してキャリアセンスを行う、ことを含む情報処理方法。
【発明の詳細な説明】
【技術分野】
【０００１】
本開示は、一般的に、無線通信分野に関し、より具体的に、基地局側に用いられる電子機器、情報処理装置及び情報処理方法、並びにユーザ機器側に用いられる電子機器、情報処理装置、及び情報処理方法に関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、世界的に統一されたライセンス補助アクセス（ＬＡＡ）フレームワークを定義し、アンライセンスバンドを用いてロング・ターム・エボリューション（ＬＴＥ）データを伝送することを希望している。アンライセンスバンドを使用したＬＡＡ装置は、例えばワイヤレスフィディリティー（Ｗｉ−Ｆｉ）装置、レーダー装置などの他の通信装置及び他のオペレーターのＬＴＥ装置との共存を避けることができない。
【０００３】
ＬＡＡプロセスにおいて、他の装置との衝突を避けるために、ユーザ機器は、データの伝送前にキャリアセンス（ＬＢＴ）を行うことができるが、これにより、受信の衝突を招いてしまう。
【０００４】
ＬＢＴ方案は、以下のタイプに分けることができる。
タイプ１（Ｃａｔ  １）：ＬＢＴを行わない
タイプ２（Ｃａｔ  ２）：ランダムバックオフプロセスがないＬＢＴ
タイプ３（Ｃａｔ  ３）：固定のサイズのコンテンションウィンドウを用いてランダムバックオフプロセスを行うＬＢＴ
タイプ４（Ｃａｔ  ４）：サイズを可変とするコンテンションウィンドウを用いてランダムバックオフプロセスを行うＬＢＴ。
【発明の概要】
【発明が解決しようとする課題】
【０００５】
以下では、本発明に関する簡単な概説を説明して、本発明のいくつかの側面に関する基本的理解を提供する。この概説が本発明に関する取り尽くし的概説ではないと理解すべきである。それは、本発明の肝心又は重要部分を意図的に特定するものではなく、本発明の範囲を意図的に限定するものでもない。その目的は、簡素化の形式で、いくつかの概念を提供して、後に論述するより詳しい技術の前言とするものである。
【課題を解決するための手段】
【０００６】
一実施例によれば、処理回路を含む、基地局側に用いられる電子機器を提供する。処理回路は、少なくとも一つのユーザ機器のアンライセンスバンドにおけるアップリンク伝送の成功率に関する情報を取得するように配置されており、なお、当該ユーザ機器はコンテンションウィンドウサイズを可変とするランダムバックオフプロセスを含むチャネル検出プロセスを用いてアンライセンスバンドに対してキャリアセンスを行う。処理回路は、さらに、当該情報に基づいてユーザ機器のコンテンションウィンドウサイズを調整するように配置されている。処理回路は、さらに、調整されたコンテンションウィンドウサイズ、又は調整されたコンテンションウィンドウサイズに基づいて生成されたランダムバックオフカウンタの値をユーザ機器に通知するように、制御を実行するように配置されている。
【０００７】
他の一実施例によれば、送受信装置及び処理回路を含む、基地局側に用いられる情報処理装置を提供する。処理回路は、少なくとも一つのユーザ機器のアンライセンスバンドにおけるアップリンク伝送の成功率に関する情報を取得するように配置されており、なお、当該ユーザ機器はコンテンションウィンドウサイズを可変とするランダムバックオフプロセスを含むチャネル検出プロセスを用いてアンライセンスバンドに対してキャリアセンスを行うように配置されている。処理回路は、さらに、当該情報に基づいてユーザ機器のコンテンションウィンドウサイズを調整するように配置されている。処理回路は、さらに、調整されたコンテンションウィンドウサイズ、又は調整されたコンテンションウィンドウサイズに基づいて生成されたランダムバックオフカウンタの値を、ユーザ機器に通知するように、送受信装置を制御する、ように配置されている。
【０００８】
更なる一実施例によれば、基地局側に用いられる情報処理方法を提供する。当該方法は、少なくとも一つのユーザ機器のアンライセンスバンドにおけるアップリンク伝送の成功率に関する情報を取得するステップを含み、なお、当該ユーザ機器はコンテンションウィンドウサイズを可変とするランダムバックオフプロセスを含むチャネル検出プロセスを用いてアンライセンスバンドに対してキャリアセンスを行う。当該方法は、当該情報に基づいてユーザ機器のコンテンションウィンドウサイズを調整するステップをさらに含む。当該方法は、調整されたコンテンションウィンドウサイズ、又は調整されたコンテンションウィンドウサイズに基づいて生成されたランダムバックオフカウンタの値をユーザ機器に通知するステップをさらに含む。
【０００９】
更なる一実施例によれば、処理回路を含む、ユーザ機器側に用いられる電子機器を提供する。処理回路は、コンテンションウィンドウサイズ、又はコンテンションウィンドウサイズに基づいて生成されたランダムバックオフカウンタ値を指示する情報を受信するように、制御を実行するように配置されており、コンテンションウィンドウサイズは、少なくとも一つのユーザ機器のアンライセンスバンドにおけるアップリンク伝送の成功率に基づいて調整される。処理回路は、さらに、当該コンテンションウィンドウサイズ、又は当該ランダムバックオフカウンタ値に基づいて、コンテンションウィンドウサイズを可変とするランダムバックオフプロセスを用いてアンライセンスバンドに対して行うキャリアセンスを制御するように配置されている。
【００１０】
更なる一実施例によれば、送受信装置及び処理回路を含む、ユーザ機器側に用いられる情報処理装置を提供する。処理回路は、コンテンションウィンドウサイズ、又はコンテンションウィンドウサイズに基づいて生成されたランダムバックオフカウンタ値を指示する情報を受信するように、送受信装置を制御するように配置されており、なお、コンテンションウィンドウサイズは、少なくとも一つのユーザ機器のアンライセンスバンドにおけるアップリンク伝送の成功率に基づいて調整される。処理回路は、さらに、コンテンションウィンドウサイズ、又はランダムバックオフカウンタ値に基づいて、送受信装置がコンテンションウィンドウサイズを可変とするランダムバックオフプロセスを用いてアンライセンスバンドに対してキャリアセンスを行うように制御するように配置されている。
【００１１】
一実施例によれば、ユーザ機器側に用いられる情報処理方法を提供する。当該方法は、コンテンションウィンドウサイズ、又はコンテンションウィンドウサイズに基づいて生成されたランダムバックオフカウンタ値を指示する情報を受信するステップを含み、なお、コンテンションウィンドウサイズは、少なくとも一つのユーザ機器のアンライセンスバンドにおけるアップリンク伝送の成功率に基づいて調整される。当該方法は、コンテンションウィンドウサイズ又はランダムバックオフカウンタ値に基づいて、コンテンションウィンドウサイズを可変とするランダムバックオフプロセスを用いてアンライセンスバンドに対してキャリアセンスを行うステップをさらに含む。
【発明の効果】
【００１２】
本発明の実施例によれば、アップリンク伝送の成功率に応じてキャリアセンスに用いるコンテンションウィンドウサイズを調整することにより、アンライセンスバンドを利用してアップリンク伝送を行う際に発生するチャネル衝突をより良く避けるようになる。
【図面の簡単な説明】
【００１３】
本発明は、以下に図面と合わせて記載された説明を参照することによりよく理解できるだろう。なお、全ての図面において、同一又は類似する部品を同一又は類似する符号で示している。前記図面は以下の詳細な説明と共に本明細書に含まれ本明細書の一部として構成されており、本発明の好適な実施例を例を挙げて説明し、本発明の原理とメリットを解釈する。図面において、
【図１】本発明の一実施例による基地局側に用いられる電子機器の構成例を示すブロック図である。
【図２】本発明の実施例によるコンテンションウィンドウサイズを調整する例示的方式を説明するための模式図である。
【図３Ａ】本発明の実施例によるコンテンションウィンドウサイズを調整する例示的方式を説明するための模式図である。
【図３Ｂ】本発明の実施例によるコンテンションウィンドウサイズを調整する例示的方式を説明するための模式図である。
【図４】本発明の実施例によるコンテンションウィンドウサイズを調整する他の例示的方式を説明するための模式図である。
【図５】本発明の実施例によるコンテンションウィンドウサイズを調整する他の例示的方式を説明するための模式図である。
【図６】本発明の実施例によるコンテンションウィンドウサイズを調整する例示的方式を説明するための模式図である。
【図７】本発明の実施例によるコンテンションウィンドウサイズを調整する他の例示的方式を説明するための模式図である。
【図８】本発明の一実施例においてチャネルアクセス優先度に応じて予め確定された所定のコンテンションウィンドウサイズの例を挙げるリストである。
【図９】本発明の例示的実施例のクロスキャリアスケジューリング場面における応用を説明するためのシグナリングフローチャートである。
【図１０】本発明の例示的実施例の自己キャリアスケジューリング場面における応用を説明するためのシグナリングフローチャートである。
【図１１】本発明の一実施例による基地局側に用いられる情報処理装置の構成例を示すブロック図である。
【図１２】本発明の一実施例による基地局側に用いられる情報処理方法の手順例を示すフローチャートである。
【図１３】本発明の一実施例による基地局側に用いられる電子機器の構成例を示すブロック図である。
【図１４】本発明の一実施例によるユーザ機器側に用いられる情報処理装置の構成例を示すブロック図である。
【図１５】本発明の一実施例によるユーザ機器側に用いられる情報処理方法の手順例を示すフローチャートである。
【図１６】本発明の一実施例による基地局側に用いられる電子機器の構成例を示すブロック図である。
【図１７】本発明の一実施例による基地局側に用いられる情報処理装置の構成例を示すブロック図である。
【図１８】本発明の一実施例によるユーザ機器側に用いられる電子機器の構成例を示すブロック図である。
【図１９】本発明の一実施例によるユーザ機器側に用いられる情報処理装置の構成例を示すブロック図である。
【図２０】本開示の方法と装置を実現するコンピュータの概略的構成を示すブロック図である。
【図２１】本開示の内容を応用できるスマートフォンの概略的構成を示すブロック図である。
【図２２】本開示の内容の技術を応用できるｅＮＢ（進化型基地局）の概略的構成を示すブロック図である。
【図２３Ａ】マルチキャリアアクセスの場合にコンテンションウィンドウ調整を行う例示的方式を説明するための模式図である。
【図２３Ｂ】マルチキャリアアクセスの場合にコンテンションウィンドウ調整を行う例示的方式を説明するための模式図である。
【図２３Ｃ】マルチキャリアアクセスの場合にコンテンションウィンドウ調整を行う例示的方式を説明するための模式図である。
【図２３Ｄ】マルチキャリアアクセスの場合にコンテンションウィンドウ調整を行う例示的方式を説明するための模式図である。
【発明を実施するための形態】
【００１４】
以下、図面を参照しながら本発明の実施例を説明する。本発明の一つの図面または一実施形態に記載の要素及び特徴は、一つ又はより多くのその他の図面又は実施形態に示された要素及び特徴と相互に結合することができる。なお、明確にするために、図面及び説明において本発明に関係しない、当業者にとって公知の部品及び処理の表示及び記載が省略されていることを注意すべきである。
【００１５】
図１に示すように、本実施例による基地局側に用いられる電子機器１００は、処理回路１１０を含む。処理回路１１０は、例えば、特定のチップ、チップセット又はＣＰＵ（Ｃｅｎｔｒａｌ  Ｐｒｏｃｅｓｓｉｎｇ  Ｕｎｉｔ）などとして実現されてもよい。
【００１６】
処理回路１１０は、取得ユニット１１１と、調整ユニット１１３と、制御ユニット１１５とを含む。なお、図面において機能ブロックの形で取得ユニット１１１と、調整ユニット１１３と、制御ユニット１１５を示したが、取得ユニット１１１と、調整ユニット１１３と、制御ユニット１１５の機能は処理回路１１０により全体として実現することもでき、必ずしも処理回路１１０における別々の実際の部品により実現されないと理解すべきである。また、図面で一つのブロックで処理回路１１０を示したが、電子機器１００は、複数の処理回路を含んでもよく、且つ取得ユニット１１１と、調整ユニット１１３と、制御ユニット１１５の機能を複数の処理回路に分散することができ、これにより、複数の処理回路は連携しながら操作してこれらの機能を実行するようになる。
【００１７】
取得ユニット１１１は、少なくとも一つのユーザ機器のアンライセンスバンドにおけるアップリンク伝送の成功率に関する情報を取得するように配置されており、なお、当該ユーザ機器はチャネル検出プロセスを用いてアンライセンスバンドに対してキャリアセンスを行い、当該チャネル検出プロセスはコンテンションウィンドウサイズを可変とするランダムバックオフプロセス（以下、このキャリアセンスをＣａｔ４  ＬＢＴと略称する）を含む。
【００１８】
具体的に、アップリンク伝送は、例えば、物理アップリンク共有チャネル（ＰＵＳＣＨ）伝送を含むことができる。さらに、前記アップリンク伝送はＰＵＳＣＨでのデータ伝送を含んでもよい。
【００１９】
調整ユニット１１３は、取得ユニット１１１が取得した、ユーザ機器のアンライセンスバンドにおけるアップリンク伝送の成功率の情報に基づいて、ユーザ機器のコンテンションウィンドウサイズ（Ｃｏｎｔｅｎｔｉｏｎ  Ｗｉｎｄｏｗ  Ｓｉｚｅ、以下「  コンテンションウィンドウサイズ  」はＣＷＳとも略称される）を調整するように配置されている。
【００２０】
具体的実施形態によれば、取得ユニット１１１と調整ユニット１１３との処理は、ユーザ機器特定（ＵＥ−ｓｐｅｃｉｆｉｃ）又はセル特定（Ｃｅｌｌ−ｓｐｅｃｉｆｉｃ）のものであってもよく、単一のユーザ機器に対して行われてもよく、複数のユーザ機器に対して行われてもよい。
【００２１】
一実施例によれば、取得ユニット１１１にて取得された情報は、Ｃａｔ４  ＬＢＴを行うことができるユーザ機器のうちの第１のユーザ機器の、先行のアップリンク伝送バースト（ＵＬ  ｔｒａｎｓｍｉｓｓｉｏｎ  ｂｕｒｓｔ）の少なくとも一つのサブフレームにおけるアップリンク伝送の成功率を指示し、第１のユーザ機器は当該少なくとも一つのサブフレームでスケジューリングされる（ｓｃｈｅｄｕｌｅｄ）。そして、調整ユニット１１３が行う調整は、第１のユーザ機器のコンテンションウィンドウサイズの調整を含む。
【００２２】
伝送バーストの意味は、以下の通りであり、伝送バーストは、伝送ノードからの連続伝送であり、且つ当該連続伝送の直前と直後に当該ノードからの同一のキャリアでの伝送がないものである。ユーザ機器の角度から、アップリンク伝送バーストとは、ユーザ機器からの連続伝送であり、且つ当該連続伝送の直前と直後に当該ユーザ機器からの同一のキャリアでの伝送がないものである。なお、ユーザ機器の角度からアップリンク伝送バーストを解釈したが、基地局の角度からアップリンク伝送バーストを定義してもよい。また、先行のアップリンク伝送バーストとは、コンテンションウィンドウサイズを確定しようとするアップリンク伝送バーストの前のアップリンク伝送バーストであり、好ましくは、前回のアップリンク伝送バーストである。
【００２３】
具体的に、上記少なくとも一つのサブフレームは、第１のユーザ機器が先行のアップリンク伝送バーストにおいてスケジューリングされたサブフレームのうちの最後のサブフレームであってもよい。または、上記少なくとも一つのサブフレームは、第１のユーザ機器が先行のアップリンク伝送バーストにおいてスケジューリングされた全てのサブフレームを含んでもよい。しかしながら、上記少なくとも一つのサブフレームについて、これに限定せず、先行のアップリンク伝送バーストにおけるサブフレームの任意のサブセットを含んでもよく、例えば、最後の二つのサブフレーム、最後の三つのサブフレーム、……最後のｎ−１のサブフレーム（なお、ｎは先行のアップリンク伝送バーストに含まれているサブフレームの数である）などを含んでもよい。
【００２４】
次に、図２〜図４を参照して、単一のユーザ機器に対してアップリンク伝送成功率情報の取得と、ＣＷＳの調整を行う例示的方式の模式図を説明する。
【００２５】
図２に示すように、基地局ｅＮＢのサービングするユーザ機器ＵＥ１、ＵＥ２、ＵＥ３、ＵＥ４のうち、各ユーザ機器に対してアップリンク伝送成功率情報の取得とＣＷＳ調整を単独で行う。
【００２６】
図３Ａ、図３Ｂを参照して、単一のユーザ機器（示している例においてＵＥ３である）に対してアップリンク伝送成功率情報の取得と、ＣＷＳの調整を行う第１の例示的方式について説明する。
【００２７】
第１の例示的方式において、単一のユーザ機器が先行のアップリンク伝送バーストにおいてスケジューリングされたサブフレームのうちの最後のサブフレームに基づいて、アップリンク伝送成功率を確定する。
【００２８】
図３Ａに示すように、バースト（ｔｒａｎｓｍｉｓｓｉｏｎ  ｂｕｒｓｔ）＃１の四つのサブフレームＳＦ０−ＳＦ３のうち、サブフレームＳＦ３でＵＥ３とＵＥ４とがスケジューリングされ、つまり、ＵＥ３が先行のアップリンク伝送バーストにおいてスケジューリングされたサブフレームのうちの最後のサブフレームはＳＦ３であり、従って、ＵＥ３の、バースト＃１のサブフレームＳＦ３における例えばＰＵＳＣＨ伝送の成功率を確定し、当該成功率に基づいてＣＷＳ調整を行う。
【００２９】
具体的に、単一のサブフレームに基づいて伝送成功率を確定する場合に、例えば、サブフレームにおけるＰＵＳＣＨが一つのコードワードを有する際に、成功率は０％（ＰＵＳＣＨを受信していない）または１００％（ＰＵＳＣＨを受信した）であってもよく、サブフレームにおけるＰＵＳＣＨが二つのコードワードを有する際に、各コードワードのＨＡＲＱ−ＡＣＫ（ハイブリッド自動再送要求−確認）値をそれぞれ考慮してもよく、当該サブフレームについて、成功率は０％（ＰＵＳＣＨを受信していない）、５０％（ＰＵＳＣＨの一つのコードワードを受信した）または１００％（ＰＵＳＣＨの二つのコードワードを受信した）であってもよい。
【００３０】
図３Ｂに示すように、バースト＃１の四つのサブフレームＳＦ０−ＳＦ３のうち、サブフレームＳＦ３でＵＥ１とＵＥ２とがスケジューリングされ、サブフレームＳＦ２でＵＥ３とＵＥ４とがスケジューリングされ、つまり、ＵＥ３が先行のアップリンク伝送バーストにおいてスケジューリングされたサブフレームのうちの最後のサブフレームはＳＦ２であり、従って、ＵＥ３の、バースト＃１のサブフレームＳＦ２における例えばＰＵＳＣＨ伝送の成功率を確定し、当該成功率に基づいてＣＷＳ調整を行う。
【００３１】
図４を参照して、単一のユーザ機器（示している例においてＵＥ３である）に対してアップリンク伝送成功率情報の取得とＣＷＳ調整を行う第２の例示的方式について説明する。
【００３２】
第２の例示的方式において、単一のユーザ機器が先行のアップリンク伝送バーストにおいてスケジューリングされた全てのサブフレームに基づいてアップリンク伝送成功率を確定する。
【００３３】
図４に示すように、バースト＃１の四つのサブフレームＳＦ０−ＳＦ３のうち、サブフレームＳＦ１とＳＦ３とでＵＥ２とＵＥ３とがスケジューリングされ、サブフレームＳＦ０とＳＦ２とでＵＥ３がスケジューリングされず、つまり、ＵＥ３が先行のアップリンク伝送バーストにおいてスケジューリングされたサブフレームはＳＦ１とＳＦ３とを含み、従って、ＵＥ３の、バースト＃１のサブフレームＳＦ１とＳＦ３における例えばＰＵＳＣＨ伝送の成功率を確定し、当該成功率に基づいてＣＷＳ調整を行う。
【００３４】
具体的に、複数のサブフレームに基づいて伝送成功率を確定する場合に、各サブフレームの各コードワードのＨＡＲＱ−ＡＣＫ値をそれぞれ考慮したうえで、相応する伝送成功率を確定してもよい。
【００３５】
また、他の一実施例によれば、取得ユニット１１１にて取得された情報は、Ｃａｔ４  ＬＢＴを行うことができる全てのユーザ機器（例えば、上記例におけるＵＥ１−ＵＥ４）の、先行のアップリンク伝送バーストの少なくとも一つのサブフレームにおけるアップリンク伝送の成功率を指示する。なお、本発明の実施例は、基地局のサービングするＣａｔ４  ＬＢＴを行うことができる複数の（必ずしも全部ではない）ユーザ機器に対してともに処理を行う方案も含む。
【００３６】
具体的に、上記少なくとも一つのサブフレームは、先行のアップリンク伝送バーストの最後の一つのサブフレームであってもよい。または、上記少なくとも一つのサブフレームは、先行のアップリンク伝送バーストの全てのサブフレームを含んでもよい。しかしながら、上記少なくとも一つのサブフレームについて、これに限定せず、先行のアップリンク伝送バーストのうちのサブフレームの任意のサブセットを含んでもよく、例えば、最後の二つのサブフレーム、最後の三つのサブフレーム、……最後のｎ−１のサブフレーム（なお、ｎは、先行のアップリンク伝送バーストに含まれているサブフレームの数である）などを含んでもよい。
【００３７】
次に、図５〜図７を参照して、複数のユーザ機器に対してアップリンク伝送成功率情報の取得とＣＷＳ調整とを行う例示的方式の模式図を説明する。
【００３８】
図５に示すように、基地局ｅＮＢのサービングするユーザ機器ＵＥ１、ＵＥ２、ＵＥ３、ＵＥ４に対して、ともにアップリンク伝送成功率情報の取得とＣＷＳ調整とを行う。
【００３９】
図６を参照して、複数のユーザ機器に対して（示している例においてＵＥ１−ＵＥ４である）アップリンク伝送成功率情報の取得とＣＷＳ調整とを行う第１の例示的方式について説明する。
【００４０】
第１の例示的方式において、先行のアップリンク伝送バーストの最後の一つのサブフレームに応じてアップリンク伝送成功率を確定する。
【００４１】
図６に示すように、バースト＃１のサブフレームＳＦ３において、ＵＥ１、ＵＥ２、ＵＥ３がスケジューリングされたので、アップリンク伝送成功率として、例えば、ＵＥ１、ＵＥ２、ＵＥ３の、バースト＃１のサブフレームＳＦ３におけるＰＵＳＣＨのＨＡＲＱ−ＡＣＫ比例を取得してもよい。
【００４２】
図７を参照して、複数のユーザ機器に対して（示している例においてＵＥ１−ＵＥ４である）アップリンク伝送成功率情報の取得とＣＷＳ調整とを行う第２の例示的方式について説明する。
【００４３】
第２の例示的方式において、複数のユーザ機器が先行のアップリンク伝送バーストにおいてスケジューリングされた全てのサブフレーム応じてアップリンク伝送成功率を確定する。
【００４４】
図７に示すように、バースト＃１のサブフレームＳＦ０において、ＵＥ１とＵＥ２とがスケジューリングされ、バースト＃１のサブフレームＳＦ１において、ＵＥ２とＵＥ３とがスケジューリングされ、バースト＃１のサブフレームＳＦ２において、ＵＥ３とＵＥ４とがスケジューリングされ、バースト＃１のサブフレームＳＦ３において、ＵＥ１とＵＥ３とがスケジューリングされた。しかしながら、具体的にスケジューリングされたユーザ機器と関係なく、バースト＃１のサブフレームＳＦ０−ＳＦ３に応じて、全体的にアップリンク伝送成功率を確定する。
【００４５】
ここで、上記のように、例えば、サブフレームＳＦ２とＳＦ３とに応じてアップリンク伝送成功率を確定してもよく、または、サブフレームＳＦ１、ＳＦ２、ＳＦ３に応じてアップリンク伝送成功率を確定してもよい等。
【００４６】
次に、調整ユニット１１３がアップリンク伝送成功率に基づいてＣＷＳを調整する例示的方式について説明する。
【００４７】
一実施例によれば、調整ユニット１１３は、取得ユニット１１１の取得した伝送成功率が閾値よりも低い場合に、ＣＷＳを大きくするように配置されている。なお、アップリンク伝送成功率は、例えば、上記例示的方式により得られたものである。相応して、アップリンク伝送成功率を取得する異なる方式に応じて、異なる所定の閾値を設置することが可能である。
【００４８】
例えば、前で言及された例のように、アップリンク伝送成功率が０％または１００％である場合に、（単一のユーザ機器、単一のサブフレームに対して、且つサブフレームに単一のコードワードが含まれる場合に対応する）、アップリンク伝送成功率が０％である際に、例えば、ＣＷＳを大きくしてもよく、アップリンク伝送成功率が１００％である際に、例えば、ＣＷＳを変更しなくてもよい。つまり、所定の閾値は、実際に、０％から１００％までの任意の値に設置されてもよい。また、例えば、アップリンク伝送成功率が０％、５０％または１００％である場合に、アップリンク伝送成功率が０％である際に、例えば、ＣＷＳを大きくしてもよく、アップリンク伝送成功率が５０％または１００％である際に、例えば、ＣＷＳ（この場合、所定の閾値は実に０％から５０％までの任意の値である）を変更しなくてもよく、または、アップリンク伝送成功率が０％あるいは５０％である場合に、例えば、ＣＷＳを大きくしてもよく、アップリンク伝送成功率が１００％である場合に、例えば、ＣＷＳ（この場合に、所定の閾値は、実際に、５０％から１００％までの任意の値であってもよい）を変更しなくてもよい。
【００４９】
複数のユーザ機器の伝送成功率に応じて及び／又は複数のサブフレームの伝送成功率に応じてＣＷＳを調整する場合に、相応する所定の閾値を設置してもよく、例えば、全体成功率閾値を２０％（例えば、相応するＰＵＳＣＨ伝送のＨＡＲＱ−ＡＣＫ値がＮＡＣＫの比例が８０％である場合に対応する）、２５％、３０％などに設置してもよい。
【００５０】
また、複数の閾値を設置してもよく、例えば、成功率が第１の閾値よりも低い場合にＣＷＳを大きくし、成功率が第１の閾値と第２の閾値の間にある場合に、ＣＷＳを変更せず、成功率が第２の閾値よりも高い場合に、ＣＷＳを小さくする。
【００５１】
また、様々な所定の閾値に応じてＣＷＳを調整する方式を想到しえる。
【００５２】
一実施例によれば、ＣＷＳ値は、複数の所定のＣＷＳ値から選択されてもよく、そして、調整ユニット１１３が行う調整は、所定のコンテンションウィンドウサイズの選択を切り替えることを含んでもよい。
【００５３】
さらに、複数の所定のＣＷＳ値は、チャネルアクセス優先度に応じて予め確定された複数のグループの所定のコンテンションウィンドウサイズを含んでもよい。
【００５４】
図８に、チャネルアクセス優先度に応じて予め確定された所定のコンテンションウィンドウサイズの例を示している。なお、チャネルアクセス優先度ｐは四つのランクに分け、高優先度（優先度１は最高優先度である）は例えば、応答時間の要求が高いサービスに対応し、低優先度は例えば、応答時間の要求が低いサービスに対応する。優先度１は、ＣＷＳの最小値が３であり、ＣＷＳの最大値が７であり、取り得る値が３、７であり、優先度２は、ＣＷＳの最小値が７であり、且つ、ＣＷＳの最大値が１５であり、且つ取り得る値が７、１５であり、優先度２は、ＣＷＳの最小値が１５であり、ＣＷＳの最大値が６３であり、且つ取り得る値が１５、３１、６３であり、優先度４は、ＣＷＳの最小値が１５であり、ＣＷＳの最大値が１０２３であり、且つ取り得る値が１５、３１、６３、１２７、２５５、５１１、１０２３である。上記ＣＷＳ値に応じてランダムバックオフカウンタ値を生成してもよく、例えば、ＣＷＳの値が３である場合に、生成したランダムバックオフカウンタ値が、例えば、１、２又は３であってもよい。上記具体的ＣＷＳ値の設置は、ただ例示的であり、限定せず、具体的な応用に応じて異なるＣＷＳ値を設置することができる。さらに、前記調整ユニットがある優先度に対応するＣＷＳを調整する際に、他の優先度に対応するＣＷＳを一緒に調整する。調整の方式は、本発明の実施例が提供する方式と同じである。例えば、ある優先度に対応するＣＷＳを大きく調整する際に、他の優先度に対応するＣＷＳを一緒に大きく調整し、逆も同様である。
【００５５】
図１に戻って参照し、制御ユニット１１５は、調整されたＣＷＳ、又は調整されたＣＷＳに基づいて生成されたランダムバックオフカウンタ（ｒａｎｄｏｍ  ｂａｃｋ  ｏｆｆ  ｃｏｕｎｔｅｒ）値（以下、「ランダムバックオフカウンタ値」は「  カウンタ（ｃｏｕｎｔｅｒ）」とも略称される）を、ユーザ機器に通知するように、制御を実行するように配置されている。
【００５６】
なお、調整されたＣＷＳをユーザ機器に通知した場合に、ユーザ機器は、ランダムバックオフプロセスを行うように、通知されたＣＷＳに基づいてランダムバックオフカウンタ値をランダムに生成する。一方、調整されたＣＷＳに基づいて生成されたランダムバックオフカウンタ値をユーザ機器に通知する場合に、装置が採用するためのランダムバックオフカウンタ値は、基地局側によって調整されたＣＷＳに基づいてランダムに生成される。
【００５７】
なお、ここに記載の調整されたＣＷＳをユーザ機器に通知することは、ＣＷＳの調整方式をユーザ機器に通知することを含んでもよく、必ずしも具体的ＣＷＳ値をユーザ機器に通知することではない。例えば、以上で具体的実施例と合わせて説明したように、ＣＷＳが複数の所定のＣＷＳから選択された場合に、基地局側は、例えば、ＣＷＳを大きくする情報をユーザ機器に通知してもよく、ユーザ機器は当該指令に従って、所定のＣＷＳから、長さが現在のＣＷＳよりも長い新しいＣＷＳを選択してもよい。
【００５８】
制御ユニット１１５は、例えば、ユーザ機器特定のチャネルを利用してそれぞれ各ユーザ機器へＣＷＳ調整、又は相応するランダムバックオフカウンタ値を通知するように、制御を実行する。特に、複数のユーザ機器に対して全体としてＣＷＳ調整を確定するとともにＣＷＳ調整をユーザ機器に通知する場合に、例えば、放送チャネルによりＣＷＳ調整をともに複数のユーザ機器に送信してもよい。
【００５９】
また、本発明の実施例によるＣＷＳ調整方案は、複数のアンライセンスバンドキャリアを利用してアップリンク伝送を行う場合に応用してもよい。つまり、ユーザ機器は、上記実施例の方式を利用して複数のアンライセンスバンドキャリア（又は複数のアンライセンスバンドキャリアの一つ）に対してキャリアセンスを行うとともに、複数のアンライセンスバンドキャリアを利用してアップリンク伝送を行ってもよい。これらの実施例について説明する前に、まず、マルチキャリア伝送のプロセスについて、簡単に説明する。
【００６０】
複数のアンライセンスバンドキャリアを利用してアップリンク伝送を行う場合に、以下の方式の一つを用いてキャリアにアクセスすることができる。
Ａ方式：アンライセンスバンドにおいてそれぞれのキャリアのチャネル検出プロセス（例えばＬＢＴ）は互いに独立する。異なるＣＷＳの調整方式に応じて、Ａ方式は、またＡ１方式とＡ２方式に分けることができる。
Ａ１方式：キャリアの各々に対してＣＷＳ調整をそれぞれ行い、且つ各キャリアにランダムバックオフカウンタ値をそれぞれ生成して、相応するキャリアのＬＢＴに用いる。
Ａ２方式：キャリアの各々に対してＣＷＳ調整をそれぞれ行い、且つ各キャリアのＣＷＳのうちの最大のＣＷＳに基づいてランダムバックオフカウンタ値を生成し、当該ランダムバックオフカウンタ値を各キャリアのＬＢＴに用いる。
Ｂ方式：アンライセンスバンドでのキャリアはプライマリキャリアとセカンダリキャリアとを含み、プライマリキャリアについてＣａｔ４  ＬＢＴを行い、セカンダリキャリアについてＣａｔ２  ＬＢＴを行う。プライマリキャリアにおけるＣＷＳ調整方式の違いによってＢ１方式とＢ２方式に分けることができる。
Ｂ１方式：全てのキャリアでの伝送成功率に基づいてプライマリキャリアのＣＷＳ調整を確定し、プライマリキャリアのＬＢＴに用いる。
Ｂ２方式：各キャリアに対してＣＷＳ調整を確定し、その中の最大のＣＷＳに基づいてプライマリキャリアのＬＢＴに用いられるランダムバックオフカウンタ値を確定する。
【００６１】
上記Ａ１方式に対応して、一実施例によれば、取得ユニット１１１と調整ユニット１１３とは、それぞれ、アンライセンスバンドでの複数のキャリアの各々に対してアップリンク伝送成功率の取得と、ＣＷＳの調整とを行うように配置されている。そして、制御ユニット１１５は、相応するキャリアに対して調整されたコンテンションウィンドウサイズ、又は調整されたコンテンションウィンドウサイズに基づいて相応して生成されたランダムバックオフカウンタ値を、ユーザ機器に通知して、相応するキャリアに用いるように配置されている。
【００６２】
上記Ａ２方式に対応して、一実施例によれば、取得ユニット１１１と調整ユニット１１３は、それぞれ、アンライセンスバンドでの複数のキャリアの各々に対してアップリンク伝送成功率の取得と、ＣＷＳの調整を行うように配置されている。そして、制御ユニット１１５は、キャリアの各々に対して調整されたコンテンションウィンドウサイズのうちの最大コンテンションウィンドウサイズに基づいてランダムバックオフカウンタ値を生成し、最大コンテンションウィンドウサイズに基づいて生成されたランダムバックオフカウンタ値をユーザ機器に通知して、全部のキャリアのキャリアセンスに用いるように配置されている。
【００６３】
上記Ｂ１方式に対応して、一実施例によれば、取得ユニット１１１と調整ユニット１１３は、それぞれ、以下の方式の一つによりアンライセンスバンドでの複数のキャリアにおけるプライマリキャリアに対してアップリンク伝送成功率の取得とＣＷＳの調整を行うように配置され、第１のユーザ機器が複数のキャリアの各々で先行のアップリンク伝送バーストにおいてスケジューリングされたサブフレームのうちの最後のサブフレームに応じて、伝送成功率情報を取得し、且つ第１のユーザ機器のプライマリキャリアに用いられるコンテンションウィンドウサイズを調整する方式と、第１のユーザ機器が複数のキャリアの各々で先行のアップリンク伝送バーストにおいてスケジューリングされた全てのサブフレームに応じて伝送成功率情報を取得し、且つ第１のユーザ機器のプライマリキャリアに用いられるコンテンションウィンドウサイズを調整する方式、複数のキャリアの各々で先行のアップリンク伝送バーストの最後のサブフレームで発生した全てのアップリンク伝送（例えばＰＵＳＣＨデータ伝送）に応じて伝送成功率情報を取得してプライマリキャリアでのコンテンションウィンドウサイズ調整を行い、調整されたコンテンションウィンドウサイズが全てのユーザ機器に適用される方式、及び全てのユーザ機器が複数のキャリアの各々で先行のアップリンク伝送バーストの全てのサブフレームにおいて発生した全てのアップリンク伝送（例えばＰＵＳＣＨデータ伝送）に応じて伝送成功率情報を取得してプライマリキャリアでのコンテンションウィンドウサイズ調整を行い、且つ調整された後のコンテンションウィンドウサイズが全てのユーザ機器に適用される方式である。
【００６４】
上記Ｂ２方式に対応して、一実施例によれば、取得ユニット１１１と調整ユニット１１３とは、それぞれ、アンライセンスバンドでの複数のキャリアの各々に対してアップリンク伝送成功率の取得とＣＷＳの調整とを行うように配置されている。そして、制御ユニット１１５は、各キャリアに対して調整されたコンテンションウィンドウサイズのうちの最大コンテンションウィンドウサイズに基づいてランダムバックオフカウンタ値を生成し、最大コンテンションウィンドウサイズに基づいて生成されたランダムバックオフカウンタ値をユーザ機器に通知して、プライマリキャリアのキャリアセンスに用いるように配置されている。
【００６５】
次に、それぞれの組み合わせ方案の実施例の例示的方式について説明する。以下の説明では、ユーザ機器はＵＥ１、ＵＥ２、ＵＥ３を含み、キャリアはＣａｒｒｉｅｒ  １、Ｃａｒｒｉｅｒ  ２、Ｃａｒｒｉｅｒ  ３を含むと仮定すると、相応するユーザ機器と相応するキャリアとに対応するＣＷＳ調整は、以下の表に示すようである。
【００６６】
【表１】
2019510382.tif 000003
【００６７】
（１）Ａ１のマルチキャリアアクセス方式を採用し、且つ各ユーザ機器に対してＣＷＳ調整を単独で確定する場合に、
まず、各キャリアに対して、本発明の各ユーザ機器に対してＣＷＳ調整を単独で確定する方案を利用してＣＷＳ調整を確定して、即ち、Ｃａｒｒｉｅｒ  １について、ＣＷＳ１１、ＣＷＳ１２、ＣＷＳ１３を確定し、Ｃａｒｒｉｅｒ  ２についてＣＷＳ２１、ＣＷＳ２２、ＣＷＳ２３を確定し、  Ｃａｒｒｉｅｒ  ３についてＣＷＳ３１、ＣＷＳ３２、ＣＷＳ３３を確定する。
続いて、各ユーザ機器に対して、採用するＣＷＳ調整を確定し、なお、ＵＥ１の各キャリアにおけるＣＷＳ調整を、それぞれＣＷＳ１１、ＣＷＳ２１、ＣＷＳ３１として確定し、ＵＥ２の各キャリアにおけるＣＷＳ調整を、それぞれＣＷＳ１２、ＣＷＳ２２、ＣＷＳ３２として確定し、ＵＥ３の各キャリアにおけるＣＷＳ調整を、それぞれ、ＣＷＳ１３、ＣＷＳ２３、ＣＷＳ３３として確定する。
Ｃａｒｒｉｅｒ  １について、基地局はＣＷＳ１１に基づいてＵＥ１に対してＣｏｕｎｔｅｒ１１を生成し、Ｃａｒｒｉｅｒ  ２について、基地局はＣＷＳ２１に基づいてＵＥ１に対してＣｏｕｎｔｅｒ２１を生成し、Ｃａｒｒｉｅｒ  ３について、基地局はＣＷＳ３１に基づいてＵＥ１に対してＣｏｕｎｔｅｒ３１を生成する。Ｕ２とＵ３について、ＵＥ１と類似する方式でｃｏｕｎｔｅｒをそれぞれ生成する。
【００６８】
（２）Ａ２のマルチキャリアアクセス方式を採用し、且つ各ユーザ機器に対してＣＷＳ調整を単独で確定する場合には、
まず、各キャリアに対して、本発明の各ユーザ機器に対してＣＷＳ調整を単独で確定する方案を利用してＣＷＳ調整を確定し、即ち、Ｃａｒｒｉｅｒ  １についてＣＷＳ１１、ＣＷＳ１２、ＣＷＳ１３を確定し、Ｃａｒｒｉｅｒ  ２についてＣＷＳ２１、ＣＷＳ２２、ＣＷＳ２３を確定し、Ｃａｒｒｉｅｒ  ３についてＣＷＳ３１、ＣＷＳ３２、ＣＷＳ３３を確定する。
続いて、ＵＥ１の各キャリアに用いられるＣＷＳ調整を、それぞれＣＷＳ１１、ＣＷＳ２１、ＣＷＳ３１として確定し、基地局は、ＣＷＳ１１、ＣＷＳ２１、ＣＷＳ３１のうち最大の一つに応じてｃｏｕｎｔｅｒを生成し、ＵＥ１が各キャリアでＬＢＴを行うｃｏｕｎｔｅｒとする。Ｕ２とＵ３とについて、ＵＥ１と類似する方式でｃｏｕｎｔｅｒを生成する。
【００６９】
（３）Ｂ２のマルチキャリアアクセス方式を採用し、且つ各ユーザ機器に対してＣＷＳ調整を単独で確定する場合に、
まず、各キャリアに対して、本発明の各ユーザ機器に対してＣＷＳ調整を単独で確定する方案を利用してＣＷＳ調整を確定し、即ち、Ｃａｒｒｉｅｒ  １についてＣＷＳ１１、ＣＷＳ１２、ＣＷＳ１３を確定し、Ｃａｒｒｉｅｒ  ２についてＣＷＳ２１、ＣＷＳ２２、ＣＷＳ２３を確定し、Ｃａｒｒｉｅｒ  ３についてＣＷＳ３１、ＣＷＳ３２、ＣＷＳ３３を確定する。
続いて、ＵＥ１の各キャリアにおけるＣＷＳ調整を、それぞれＣＷＳ１１、ＣＷＳ２１、ＣＷＳ３１として確定し、プライマリキャリアについて、ＣＷＳ１１、ＣＷＳ２１、ＣＷＳ３１のうち最大の一つに応じてｃｏｕｎｔｅｒを生成し、ＵＥ１に通知し、セカンダリキャリアについて、Ｃａｔ２  ＬＢＴを行ってもよい。ＵＥ２とＵＥ３について、類似する。
【００７０】
（４）Ａ１のマルチキャリアアクセス方式を採用し、且つ複数のユーザ機器に対してともにＣＷＳ調整を確定する場合には、
まず、Ｃａｒｒｉｅｒ１について、本発明の実施例による、複数のユーザ機器に対してともにＣＷＳ調整を確定する方式によりＣＷＳ１（ＣＷＳ１は、ＵＥ１、ＵＥ２、ＵＥ３に共用され、即ち、ＣＷＳ１１＝ＣＷＳ１２＝ＣＷＳ１３＝ＣＷＳ１）を確定し、類似して、Ｃａｒｒｉｅｒ  ２についてＣＷＳ２（ＣＷＳ２１＝ＣＷＳ２２＝ＣＷＳ２３＝ＣＷＳ２）を確定し、Ｃａｒｒｉｅｒ  ３についてＣＷＳ３（ＣＷＳ３１＝ＣＷＳ３２＝ＣＷＳ３３＝ＣＷＳ３）を確定する。
続いて、Ｃａｒｒｉｅｒ  １について、ＵＥ１、ＵＥ２、ＵＥ３に対して生成したｃｏｕｎｔｅｒはいずれもＣＷＳ１に基づき、Ｃａｒｒｉｅｒ  ２について、ＵＥ１、ＵＥ２、ＵＥ３に対して生成したｃｏｕｎｔｅｒはいずれもＣＷＳ２に基づき、Ｃａｒｒｉｅｒ  ３について、ＵＥ１、ＵＥ２、ＵＥ３に対して生成したｃｏｕｎｔｅｒはいずれもＣＷＳ３に基づく。
【００７１】
（５）Ａ２のマルチキャリアアクセス方式を採用し、且つ複数のユーザ機器に対してともにＣＷＳ調整を確定する場合には、
まず、Ｃａｒｒｉｅｒ１について、本発明の実施例による、複数のユーザ機器に対してともにＣＷＳ調整を確定する方式によりＣＷＳ１（ＣＷＳ１はＵＥ１、ＵＥ２、ＵＥ３に共用され、即ち、ＣＷＳ１１＝ＣＷＳ１２＝ＣＷＳ１３＝ＣＷＳ１）を確定し、類似して、Ｃａｒｒｉｅｒ  ２について、ＣＷＳ２（ＣＷＳ２１＝ＣＷＳ２２＝ＣＷＳ２３＝ＣＷＳ２）を確定し、Ｃａｒｒｉｅｒ  ３についてＣＷＳ３（ＣＷＳ３１＝ＣＷＳ３２＝ＣＷＳ３３＝ＣＷＳ３）を確定する。
続いて、ＣＷＳ１、ＣＷＳ２、ＣＷＳ３のうち最大の一つに基づいてｃｏｕｎｔｅｒを生成し、当該ｃｏｕｎｔｅｒを、ＵＥ１、ＵＥ２、ＵＥ３の各キャリアにおけるｃｏｕｎｔｅｒとする。この場合、それぞれのユーザ機器が各キャリアで採用するｃｏｕｎｔｅｒは、同じである。
【００７２】
（６）Ｂ２のマルチキャリアアクセス方式を採用し、且つ複数のユーザ機器に対してともにＣＷＳ調整を確定する場合には、
まず、Ｃａｒｒｉｅｒ  １について、本発明の実施例による、複数のユーザ機器に対してともにＣＷＳ調整を確定する方式により  ＣＷＳ１（ＣＷＳ１１＝ＣＷＳ１２＝ＣＷＳ１３＝ＣＷＳ１）確定し、  Ｃａｒｒｉｅｒ  ２についてＣＷＳ２（ＣＷＳ２１＝ＣＷＳ２２＝ＣＷＳ２３＝ＣＷＳ２）を確定し、Ｃａｒｒｉｅｒ  ３についてＣＷＳ３（ＣＷＳ３１＝ＣＷＳ３２＝ＣＷＳ３３＝ＣＷＳ３）を確定する。
ＣＷＳ１、ＣＷＳ２、ＣＷＳ３のうち最大の一つに応じてｃｏｕｎｔｅｒを確定し、当該ｃｏｕｎｔｅｒをＵＥ１、ＵＥ２、ＵＥ３のプライマリキャリアにおけるｃｏｕｎｔｅｒとする。
次に、図２３Ａ乃至図２３Ｄを参照して、Ｂ１のマルチキャリアアクセス方式を採用する場合にＣＷＳ調整を行う例示的方式について説明する。これらの例において、キャリアＣ１がプライマリキャリアであり、キャリアＣ２−Ｃ４がセカンダリキャリアであるとする。プライマリキャリアＣ１について、Ｃａｔ  ４  ＬＢＴを採用し、セカンダリキャリアＣ２−Ｃ４について、Ｃａｔ  ２  ＬＢＴを採用する。
【００７３】
まず、図２３Ａを参照して、Ｂ１方式の場合に、第１のユーザ機器が各キャリアで先行のアップリンク伝送バーストにおいてスケジューリングされたサブフレームのうちの最後のサブフレームに応じて、第１のユーザ機器のプライマリキャリアでのＣＷＳを調整する例示的方式について説明する。
【００７４】
当該例において、ＵＥ１を第１のユーザ機器とし、第１のバースト（図面におけるサブフレームＳＦ０−ＳＦ２に対応する）において、ＵＥ１が各キャリアでスケジューリングされた最後のサブフレームはそれぞれ、
Ｃ１においてサブフレームＳＦ１であり、
Ｃ２においてサブフレームＳＦ２であり、
Ｃ３においてサブフレームＳＦ０であり、
Ｃ４においてサブフレームＳＦ１である。
【００７５】
従って、Ｃ１でのサブフレームＳＦ１、Ｃ２でのサブフレームＳＦ２、Ｃ３でのサブフレームＳＦ０及びＣ４でのサブフレームＳＦ１に応じて、ＵＥ１のプライマリキャリアにおけるＣＷＳを調整する。
【００７６】
次に、図２３Ｂを参照して、Ｂ１方式の場合に、第１のユーザ機器が各キャリアで先行のアップリンク伝送バーストにおいてスケジューリングされた全てのサブフレームに応じて、第１のユーザ機器のプライマリキャリアにおけるＣＷＳを調整する例示的方式について説明する。
【００７７】
当該例において、ＵＥ１を第１のユーザ機器とし、第１のバースト（図面におけるサブフレームＳＦ０−ＳＦ２に対応する）において、ＵＥ１が各キャリアでスケジューリングされたサブフレームはそれぞれ、
Ｃ１においてサブフレームＳＦ０とＳＦ２であり、
Ｃ２においてサブフレームＳＦ１とＳＦ２であり、
Ｃ３においてサブフレームＳＦ０であり、
Ｃ４においてサブフレームＳＦ０、ＳＦ１、ＳＦ２である。
【００７８】
従って、Ｃ１でのサブフレームＳＦ０、ＳＦ２、Ｃ２でのサブフレームＳＦ１、ＳＦ２、Ｃ３でのサブフレームＳＦ０、及びＣ４でのサブフレームＳＦ０、ＳＦ１、ＳＦ２に応じて、ＵＥ１のプライマリキャリアにおけるＣＷＳを調整する。
【００７９】
次に、図２３Ｃを参照して、Ｂ１方式の場合に、全てのユーザ機器の各キャリアでの先行のアップリンク伝送バーストにおける最後のサブフレームに応じて、全てのユーザ機器のプライマリキャリアにおけるＣＷＳを調整する例示的方式について説明する。
【００８０】
具体的に、まず、以下のユーザ機器の、各キャリアの前回のバーストの最後のサブフレーム（ＳＦ２）におけるＰＵＳＣＨ伝送に基づいてＣＷＳ調整を確定する。
ＵＥ１とＵＥ２とのＣ１のサブフレームＳＦ２での伝送、
ＵＥ２のＣ２のＳＦ２での伝送、
ＵＥ１とＵＥ３とのＣ３のＳＦ２での伝送、及び
ＵＥ４のＣ４のＳＦ２での伝送。
【００８１】
次に、後続するバーストにおいてプライマリキャリアでアップリンク伝送を行うユーザ機器が調整されるＣＷＳを利用してＣａｔ  ４  ＬＢＴを行う。
【００８２】
次に、図２３Ｄを参照して、Ｂ１方式の場合に、全てのユーザ機器の各キャリアでの先行のアップリンク伝送バーストにおける全てのサブフレームに応じて全てのユーザ機器のプライマリキャリアでのＣＷＳを調整する例示的方式について説明する。この例において、キャリアＣ１−Ｃ４について、ＵＥ１がＳＦ０でスケジューリングされ、ＵＥ２がＳＦ１でスケジューリングされ、ＵＥ３がＳＦ２でスケジューリングされるとする。
【００８３】
具体的に、まず、以下のユーザ機器の各キャリアでの前回のバーストの全てのサブフレーム（ＳＦ０−ＳＦ２）におけるＰＵＳＣＨ伝送に基づいて、ＣＷＳ調整を確定する。
ＵＥ１のＣ１のＳＦ０での伝送、ＵＥ２のＣ１のＳＦ１での伝送及びＵＥ３のＣ１のＳＦ２での伝送、
ＵＥ１のＣ２のＳＦ０での伝送、ＵＥ２のＣ２のＳＦ１での伝送及びＵＥ３のＣ２のＳＦ２での伝送、
ＵＥ１のＣ３のＳＦ０での伝送、ＵＥ２のＣ３のＳＦ１での伝送及びＵＥ３のＣ３のＳＦ２での伝送、及び
ＵＥ１のＣ４のＳＦ０での伝送、ＵＥ２のＣ４のＳＦ１での伝送及びＵＥ３のＣ４のＳＦ２での伝送。
【００８４】
次に、後続するバーストにおいてプライマリキャリアでアップリンク伝送を行うユーザ機器は、調整されたＣＷＳを利用してＣａｔ  ４  ＬＢＴを行う。
【００８５】
次に、それぞれ図９と図１０を参照して、本発明の例示的実施例がクロスキャリアスケジューリング場面と自己キャリアスケジューリング場面とに応用される手順例について説明する。
【００８６】
図９に示すように、Ｓ９０２において、ユーザ機器ＵＥは、プライマリキャリアＰｃｅｌｌにおいて基地局ｅＮＢへスケジューリング要求又はバッファ状態報告を送信し、
Ｓ９０４において、ｅＮＢはＰｃｅｌｌによりＵＥへアップリンクスケジューリングライセンスを送信し、
Ｓ９０６において、ｅＮＢはＰｃｅｌｌによりＵＥへＬＢＴタイプを送信し、
Ｓ９０８において、ｅＮＢはＰｃｅｌｌによりＵＥへｃｏｕｎｔｅｒを送信し、
Ｓ９１０において、ＵＥはセカンダリキャリアＳｃｅｌｌにおいてＬＢＴを行い、
Ｓ９１２において、ＵＥはセカンダリキャリアＳｃｅｌｌにおいてアップリンク伝送を行い、
Ｓ９１４において、ｅＮＢはアップリンク伝送成功率情報を取得し、
Ｓ９１６において、ＣＷＳ調整を行い、
Ｓ９１８において、ｅＮＢはＰｃｅｌｌによりＵＥへアップリンクスケジューリングライセンスを送信し、
Ｓ９２０において、ｅＮＢはＰｃｅｌｌによりＵＥへＬＢＴタイプを送信し、
Ｓ９２２において、ｅＮＢはＰｃｅｌｌによりＵＥへｃｏｕｎｔｅｒを送信し、
Ｓ９２４において、ＵＥはセカンダリキャリアＳｃｅｌｌにおいて調整されたＣＷＳを利用してＬＢＴを行い、
Ｓ９２６において、ＵＥはセカンダリキャリアＳｃｅｌｌにおいてアップリンク伝送を行う。
【００８７】
図１０に示すように、Ｓ１００２において、ユーザ機器ＵＥはプライマリキャリアＰｃｅｌｌにおいて基地局ｅＮＢへスケジューリング要求又はバッファ状態報告を送信し、
Ｓ１００４において、ｅＮＢはＬＢＴを行い、
Ｓ１００６において、ｅＮＢはＳｃｅｌｌによりＵＥへアップリンクスケジューリングライセンス（ＵＬ  ｇｒａｎｔ）を送信し、
Ｓ１００８において、ｅＮＢはＳｃｅｌｌによりＵＥへＬＢＴタイプを送信し、
Ｓ１０１０において、ｅＮＢはＳｃｅｌｌによりＵＥへｃｏｕｎｔｅｒを送信し、
Ｓ１０１２において、ＵＥはセカンダリキャリアＳｃｅｌｌにおいてＬＢＴを行い、
Ｓ１０１４において、ＵＥはセカンダリキャリアＳｃｅｌｌにおいてアップリンク伝送を行い、
Ｓ１０１６において、ｅＮＢはアップリンク伝送成功率情報を取得し、
Ｓ１０１８において、ＣＷＳ調整を行い、
Ｓ１０２０において、ｅＮＢはＳｃｅｌｌによりＵＥへアップリンクスケジューリングライセンスを送信し、
Ｓ１０２２において、ｅＮＢはＳｃｅｌｌによりＵＥへＬＢＴタイプを送信し、
Ｓ１０２４において、ｅＮＢはＳｃｅｌｌによりＵＥへｃｏｕｎｔｅｒを送信し、
Ｓ１０２６において、ＵＥはセカンダリキャリアＳｃｅｌｌにおいて調整されたＣＷＳを含むＬＢＴパラメーター（更新されたＬＢＴパラメーター）を利用してＬＢＴを行い、
Ｓ１０２８において、ＵＥはセカンダリキャリアＳｃｅｌｌにおいてアップリンク伝送を行う。
【００８８】
本発明の実施例は、基地局側に用いられる情報処理装置をさらに含み、当該情報処理装置は、例えば、基地局として作動する。
【００８９】
図１１に示すように、本実施例による、基地局側に用いられる情報処理装置１１００は送受信装置１１１０と処理回路１１２０とを含む。
【００９０】
処理回路１１２０は、取得ユニット１１２１と、調整ユニット１１２３と、制御ユニット１１２５とを含む。
【００９１】
取得ユニット１１２１は、少なくとも一つのユーザ機器のアンライセンスバンドにおけるアップリンク伝送の成功率に関する情報を取得するように配置されており、なお、ユーザ機器は、コンテンションウィンドウサイズを可変とするランダムバックオフプロセスを含むチャネル検出プロセスを用いて、アンライセンスバンドに対してキャリアセンスを行う。
【００９２】
調整ユニット１１２３は、取得ユニット１１２１が取得した情報に基づいて、ユーザ機器のコンテンションウィンドウサイズを調整するように配置されている。
【００９３】
制御ユニット１１２５は、調整されたコンテンションウィンドウサイズ、又は調整されたコンテンションウィンドウサイズに基づいて生成されたランダムバックオフカウンタの値を、ユーザ機器に通知するように、送受信装置１１１０を制御するように配置されている
【００９４】
取得ユニット１１２１と、調整ユニット１１２３と、制御ユニット１１２５との機能は、処理回路１１２０により全体として実現することもでき、必ずしも、処理回路１１２０のうち別々の実際の部品により実現されないと理解すべきである。また、図面に一つのブロックで処理回路１１２０を示したが、情報処理装置１１００は複数の処理回路を含んでもよく、且つ取得ユニット１１２１と、調整ユニット１１２３と、制御ユニット１１２５の機能を複数の処理回路に分散することができ、これにより、複数の処理回路は連携しながら操作してこれらの機能を実行するようになる。また、簡潔を目的として、処理回路１１２０を、送受信装置１１１０に接続されるように示したが、取得ユニット１１２１と、制御ユニット１１２５は、それぞれ送受信装置１１１０を制御して相応する操作を行ってもよい。
【００９５】
以上の本発明の実施例による装置とデバイスの記述で、明らかにプロセスと方法も開示され、次に、以上で記述された具体的細部を重複せず、本発明の実施例による基地局側に用いられる情報処理方法について説明する。
【００９６】
図１２に示すように、本発明の実施例による、基地局側に用いられる情報処理方法は、以下のステップを含み、
Ｓ１２１０において、少なくとも一つのユーザ機器のアンライセンスバンドにおけるアップリンク伝送の成功率に関する情報を取得し、なお、ユーザ機器はコンテンションウィンドウサイズを可変とするランダムバックオフプロセスを含むチャネル検出プロセスを用いてアンライセンスバンドに対してキャリアセンスを行い、
Ｓ１２２０において、取得した情報に基づいて、ユーザ機器の前記コンテンションウィンドウサイズを調整し、
Ｓ１２３０において、調整されたコンテンションウィンドウサイズ、又は調整されたコンテンションウィンドウサイズに基づいて生成されたランダムバックオフカウンタの値を、ユーザ機器に通知する。
【００９７】
また、本発明の実施例は、ユーザ機器側に用いられる電子機器、情報処理装置、情報処理方法をさらに含む。次に、以上で記述された具体的細部を重複せず、ユーザ機器側の実施例について説明する。
【００９８】
図１３に示すように、本発明の実施例による、ユーザ機器側に用いられる電子機器１３００は処理回路１３１０を含み、処理回路は第１の制御ユニット１３１１と第２の制御ユニット１３１３とを含む。
【００９９】
第１の制御ユニット１３１１は、コンテンションウィンドウサイズ、又はコンテンションウィンドウサイズに基づいて生成されたランダムバックオフカウンタ値を指示する情報を受信するように、制御を実行するように配置されている。なお、コンテンションウィンドウサイズは、少なくとも一つのユーザ機器のアンライセンスバンドにおけるアップリンク伝送の成功率に基づいて調整される。
【０１００】
第２の制御ユニット１３１３は、受信したコンテンションウィンドウサイズ、又はランダムバックオフカウンタ値に基づいて、コンテンションウィンドウサイズを可変とするランダムバックオフプロセスを用いてアンライセンスバンドに対して行うキャリアセンスを制御するように配置されている。
【０１０１】
図１４に示すように、本発明の実施例による、ユーザ機器側に用いられる情報処理装置１４００は送受信装置１４１０と処理回路１４２０とを含む。処理回路１４２０は第１の制御ユニット１４２１と第２の制御ユニット１４２３とを含む。
【０１０２】
第１の制御ユニット１４２１は、コンテンションウィンドウサイズ、コンテンションウィンドウサイズに基づいて生成されたランダムバックオフカウンタ値を指示する情報を受信するように、送受信装置１４１０を制御するように配置されている。なお、コンテンションウィンドウサイズは、少なくとも一つのユーザ機器のアンライセンスバンドにおけるアップリンク伝送の成功率に基づいて調整される。
【０１０３】
第２の制御ユニット１４２３は、受信したコンテンションウィンドウサイズ、又はランダムバックオフカウンタ値に基づいて、送受信装置１４１０がコンテンションウィンドウサイズを可変とするランダムバックオフプロセスを用いてアンライセンスバンドに対してキャリアセンスを行うように制御するように配置されている。
【０１０４】
図１５に示すように、本発明の実施例による、ユーザ機器側に用いられる情報処理方法は以下のステップを含み、
Ｓ１５１０において、コンテンションウィンドウサイズ、又はコンテンションウィンドウサイズに基づいて生成されたランダムバックオフカウンタ値を指示する情報を受信し、なおコンテンションウィンドウサイズは、少なくとも一つのユーザ機器のアンライセンスバンドにおけるアップリンク伝送の成功率に基づいて調整され、
Ｓ１５２０において、受信したコンテンションウィンドウサイズ、又はランダムバックオフカウンタ値に基づいて、コンテンションウィンドウサイズを可変とするランダムバックオフプロセスを用いてアンライセンスバンドに対してキャリアセンスを行う。
【０１０５】
また、図１６に示すように、一実施例による、基地局側に用いられる電子機器１６００は、取得ユニット１６１０と、調整ユニット１６２０と、制御ユニット１６３０とを含む。取得ユニット１６１０は、少なくとも一つのユーザ機器のアンライセンスバンドにおけるアップリンク伝送の成功率に関する情報を取得するように配置されており、なお、当該ユーザ機器は、コンテンションウィンドウサイズを可変とするランダムバックオフプロセスを含むチャネル検出プロセスを用いてアンライセンスバンドに対してキャリアセンスを行う。調整ユニット１６２０は、当該情報に基づいてユーザ機器のコンテンションウィンドウサイズを調整するように配置されている。制御ユニット１６３０は、調整されたコンテンションウィンドウサイズ、又は調整されたコンテンションウィンドウサイズに基づいて生成されたランダムバックオフカウンタの値をユーザ機器に通知するように、制御を実行するように配置されている。
【０１０６】
また、図１７に示すように、一実施例による、基地局側に用いられる情報処理装置１７００は、取得ユニット１７１０と、調整ユニット１７２０と、制御ユニット１７３０と、送受信ユニット１７４０とを含む。取得ユニット１７１０は、少なくとも一つのユーザ機器のアンライセンスバンドにおけるアップリンク伝送の成功率に関する情報を取得するように配置されており、なお、当該ユーザ機器は、コンテンションウィンドウサイズを可変とするランダムバックオフプロセスを含むチャネル検出プロセスを用いてアンライセンスバンドに対してキャリアセンスを行う。調整ユニット１７２０は、当該情報に基づいてユーザ機器のコンテンションウィンドウサイズを調整するように配置されている。制御ユニット１７３０は、調整されたコンテンションウィンドウサイズ、又は調整されたコンテンションウィンドウサイズに基づいて生成されたランダムバックオフカウンタの値をユーザ機器に通知するように、送受信ユニット１７４０を制御するように配置されている。
【０１０７】
また、図１８に示すように、一実施例による、ユーザ機器側に用いられる電子機器１８００は第１の制御ユニット１８１０と第２の制御ユニット１８２０とを含む。第１の制御ユニット１８１０は、コンテンションウィンドウサイズ、又はコンテンションウィンドウサイズに基づいて生成されたランダムバックオフカウンタ値を指示する情報を受信するように、制御を実行するように配置されており、なお、コンテンションウィンドウサイズは少なくとも一つのユーザ機器のアンライセンスバンドにおけるアップリンク伝送の成功率に基づいて調整される。第２の制御ユニット１８２０は、当該コンテンションウィンドウサイズ、又は当該ランダムバックオフカウンタ値に基づいて、コンテンションウィンドウサイズを可変とするランダムバックオフプロセスを用いてアンライセンスバンドに対して行うキャリアセンスを制御するように配置されている。
【０１０８】
また、図１９に示すように、一実施例による、ユーザ機器側に用いられる情報処理装置１９００は第１の制御ユニット１９１０と、第２の制御ユニット１９２０と、送受信ユニット１９３０とを含む。第１の制御ユニット１９１０は、コンテンションウィンドウサイズ、又はコンテンションウィンドウサイズに基づいて生成されたランダムバックオフカウンタ値を指示する情報を受信するように、送受信ユニット１９３０を制御するように配置されており、コンテンションウィンドウサイズは少なくとも一つのユーザ機器のアンライセンスバンドにおけるアップリンク伝送の成功率に基づいて調整される。第２の制御ユニット１９２０は、コンテンションウィンドウサイズ、又はランダムバックオフカウンタ値に基づいて、送受信ユニット１９３０がコンテンションウィンドウサイズを可変とするランダムバックオフプロセスを用いてアンライセンスバンドに対してキャリアセンスを行うように制御するように配置されている。
【０１０９】
例として、上記方法の各ステップ及び上記装置の各組立モジュール及び／又はユニットはソフトウェア、ファームウェア、ハードウェア又はその組み合わせとして実施してもよい。ソフトウェア或いはファームウェアで実現する場合、記憶媒体或いはネットワークから専用ハードウェア構造を有するコンピュータ（例えば図２０に示す汎用コンピュータ２０００）に上記方法を実施するためのソフトウェアを構成するプログラムをインストールし、当該コンピュータは各種のプログラムがインストールされた場合、各種の機能等を実行できる。
【０１１０】
図２０において、演算処理ユニット（即ち、ＣＰＵ）２００１は、読取専用メモリ（ＲＯＭ）２００２に記憶されているプログラム或いは記憶部２００８からランダムアクセスメモリ（ＲＡＭ）２００３にロードしたプログラムに基づいて各種の処理を実行する。ＲＡＭ２００３にも、必要に応じてＣＰＵ２００１が各種の処理等を実行する際に必要なデータが記憶される。ＣＰＵ２００１、ＲＯＭ２００２、ＲＡＭ２００３はバス２００４を介して互いにリンクされている。入力／出力インタフェース２００５もバス２００４にリンクされている。
【０１１１】
入力部２００６（キーボード、マウス等を含む）、出力部２００７（ディスプレイ、例えば陰極線管（ＣＲＴ）、液晶ディスプレイ（ＬＣＤ）等、スピーカ等を含む）、記憶部２００８（ハードディスク等を含む）、通信部２００９（ネットワークインターフェースカード例えばＬＡＮカード、モデム等を含む）は入力／出力インタフェース２００５にリンクされる。通信部２００９は、ネットワーク、例えばインターネットを介して通信処理を実行する。必要に応じて、ドライバー２０１０も入力／出力インタフェース２００５にリンクされてもよい。リムーバブルメディア２０１１、例えば磁気ディスク、光ディスク、光磁気ディスク、半導体メモリ等は、必要に応じてドライバー２０１０に装着され、その中から読み出したコンピュータプログラムが必要に応じて記憶部２００８にインストールされる。
【０１１２】
ソフトウェアで上記一連の処理を実現する場合、ネットワーク、例えばインターネット或いは記憶装置、例えばリムーバブルメディア２０１１からソフトウェアを構成するプログラムをインストールする。
【０１１３】
当業者であれば、このような記憶媒体は、図２０に示す、その中にプログラムが記憶され、装置とは別途配分してユーザにプログラムを提供するリムーバブルメディア２０１１に限定されないことが理解できる。リムーバブルメディア２０１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ２００２、記憶部２００８に含まれるハードディスク等であってもよく、その中にプログラムが記憶され、且つこれらを含む装置と一緒にユーザに配分される。
【０１１４】
本発明の実施例は、さらに、機器が読み取り可能なプログラム指令コードを記憶しているプログラム製品に関する。前記指令コードが機器に読み取られて実行される場合に、上記本発明の実施例による方法を実行できる。
【０１１５】
相応して、上記した機器が読み取り可能な指令コードが記憶されているプログラム製品を搭載するための記憶媒体も本発明の開示に含まれる。上記記憶媒体にはフロッピーディスク、光ディスク、光磁気ディスク、メモリカード、メモリースティック等が含まれるが、これに限られない。
【０１１６】
本出願の実施例はさらに、以下の電子機器に関する。電子機器を基地局側に応用する場合に、電子機器は、任意のタイプの進化型ノードＢ（ｅＮＢ）、例えばマクロｅＮＢとスモールｅＮＢとして実現してもよい。スモールｅＮＢはマクロセルよりも小さいセルをカバーするｅＮＢ、例えばピコｅＮＢ、マイクロｅＮＢ、ホーム（フェムト）ｅＮＢであってもよい。その代わりに、電子機器は、任意の他のタイプの基地局、例えばＮｏｄｅＢとベーストランシーバ基地局（ＢＴＳ）として実現されてもよい。電子機器は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【０１１７】
電子機器をユーザ機器側に応用する場合に、例えば、移動端末（例えばスマートフォン、タブレットパーソナルコンピュータ（ＰＣ）、ノートＰＣ、携帯型ゲーム端末、携帯型／ウオッチドッグ型移動ルータとデジタル撮像装置）又は車載端末（例えばカーナビゲーション装置）として実現されてもよい。また、電子機器は、上記端末における各端末に取り付けられた無線通信モジュール（例えば単一又は複数のチップを含む集成回路モジュール）であってもよい。
【０１１８】
［端末装置の応用例について］
図２１は本開示の内容の技術を応用できるスマートフォン２５００の概略的構成を示すブロック図である。スマートフォン２５００は、プロセッサ２５０１、メモリ２５０２、記憶装置２５０３、外部接続インタフェース２５０４、撮像装置２５０６、センサ２５０７、マイクロホン２５０８、入力装置２５０９、表示装置２５１０、スピーカ２５１１、無線通信インタフェース２５１２、一つ又は複数のアンテナスイッチ２５１５、一つ又は複数のアンテナ２５１６、バス２５１７、バッテリ２５１８及び補助コントローラ２５１９を含む。
【０１１９】
プロセッサ２５０１は例えばＣＰＵ又はＳｏＣであってもよく、スマートフォン２５００のアプリケーション層とその他の層の機能を制御する。メモリ２５０２はＲＡＭとＲＯＭを含み、データと、プロセッサ２５０１により実行されるプログラムを記憶する。記憶装置２５０３は記憶媒体、例えば半導体メモリとハードディスクを含んでもよい。外部接続インタフェース２５０４は、外部装置（メモリカードとユニバーサル・シリアル・バス（ＵＳＢ））をスマートフォン２５００に接続するためのインタフェースである。
【０１２０】
撮像装置２５０６は、画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、キャプチャ画像を生成する。センサ２５０７は例えば、測定センサ、ジャイロセンサ、地磁気センサ及び加速度センサなどのセンサ群を含んでもよい。マイクロホン２５０８はスマートフォン２５００に入力された音声を音声信号に変換する。入力装置２５０９は例えば表示装置２５１０のスクリーン上のタッチを検出するように配置されるタッチセンサ、キーパッド、キーボード、ボタン又はスイッチを含み、ユーザから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカ２５１１はスマートフォン２５００から出力された音声信号を音声に変換する。
【０１２１】
無線通信インタフェース２５１２は任意のセルラー通信方式（例えばＬＴＥ、ＬＴＥ−Ａｄｖａｎｃｅｄ）をサポートし、無線通信を実行する。無線通信インタフェース２５１２は、一般に、例えばベースバンド（ＢＢ）プロセッサ２５１３とＲＦ回路２５１４とを含んでもよい。ＢＢプロセッサ２５１３は例えば符号化／復号化、変調／復調及び多重化／逆多重化を実行してもよく、無線通信に用いる様々な信号処理を実行する。一方、ＲＦ回路２５１４は例えばミキサ、フィルタ及びアンプを含んでもよく、アンテナ２５１６を介して無線信号を送受信する。無線通信インタフェース２５１２はＢＢプロセッサ２５１３とＲＦ回路２５１４を集積した一つのチップモジュールであってもよい。図２１に示すように、無線通信インタフェース２５１２は複数のＢＢプロセッサ２５１３と複数のＲＦ回路２５１４を含んでもよい。図２１は無線通信インタフェース２５１２が複数のＢＢプロセッサ２５１３と複数のＲＦ回路２５１４を含む例を示したが、無線通信インタフェース２５１２は単一のＢＢプロセッサ２５１３又は単一のＲＦ回路２５１４を含んでもよい。
【０１２２】
また、セルラー通信方式以外に、無線通信インタフェース２５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよい。この場合、無線通信インタフェース２５１２は無線通信方式ごとのＢＢプロセッサ２５１３とＲＦ回路２５１４を含んでもよい。
【０１２３】
アンテナスイッチ２５１５の各々は、無線通信インタフェース２５１２に含まれる複数の回路（例えば、異なる無線通信方式に用いられる回路）の間でアンテナ２５１６の接続先を切り替える。
【０１２４】
アンテナ２５１６の各々は単一の又は複数のアンテナ素子（例えば、ＭＩＭＯアンテナに含まれる複数のアンテナ素子）を含み、無線通信インタフェース２５１２による無線信号の送受信に用いられる。図２１に示すように、スマートフォン２５００は複数のアンテナ２５１６を含んでもよい。図２１はスマートフォン２５００が複数のアンテナ２５１６を含む例を示したが、スマートフォン２５００は単一のアンテナ２５１６を含んでもよい。
【０１２５】
また、スマートフォン２５００は無線通信方式ごとにアンテナ２５１６を含んでもよい。この場合、アンテナスイッチ２５１５はスマートフォン２５００の構成から省略されてもよい。
【０１２６】
バス２５１７は、プロセッサ２５０１、メモリ２５０２、記憶装置２５０３、外部接続インタフェース２５０４、撮像装置２５０６、センサ２５０７、マイクロホン２５０８、入力装置２５０９、表示装置２５１０、スピーカ２５１１、無線通信インタフェース２５１２及び補助コントローラ２５１９を互いに接続する。バッテリ２５１８は図で破線で部分的に示した支線を介して図１０に示すスマートフォン２５００の各ブロックに電力を供給する。補助コントローラ２５１９は例えば、スリープモードにおいて、スマートフォン２５００の必要最低限の機能を動作させる。
【０１２７】
図２１に示すスマートフォン２５００において、本発明の実施例によるユーザ機器側情報処理装置の送受信装置または送受信ユニットは、無線通信インタフェース２５１２により実現されてもよい。本発明の実施例によるユーザ機器側の電子機器または情報処理装置の処理回路及び／又はそれぞれのユニットの機能の少なくとも一部は、プロセッサ２５０１又は補助コントローラ２５１９により実現されてもよい。例えば、補助コントローラ２５１９がプロセッサ２５０１の一部の機能を実行することでバッテリ２５１８の電力消費を低減させてもよい。また、プロセッサ２５０１又は補助コントローラ２５１９は、メモリ２５０２あるいは記憶装置２５０３に記憶されているプログラムを実行することで、本発明の実施例によるユーザ機器側の電子装置又は情報処理装置の処理回路及び／又はそれぞれのユニットの機能の少なくとも一部を実行してもよい。
【０１２８】
［基地局の応用例について］
図２２は、本開示の技術を応用できるｅＮＢの概略的構成の例を示すブロック図である。ｅＮＢ２３００は、一つ又は複数のアンテナ２３１０及び基地局デバイス２３２０を含む。基地局デバイス２３２０と各アンテナ２３１０はＲＦケーブルを介して互いに接続されてもよい。
【０１２９】
アンテナ２３１０の各々は、単一の又は複数のアンテナ素子（例えば、多入力多出力（ＭＩＭＯ）アンテナに含まれる複数のアンテナ素子）を含み、基地局デバイス２３２０による無線信号の送受信に用いられる。ｅＮＢ２３００は、図２２に示すように、複数のアンテナ２３１０を含んでもよい。複数のアンテナ２３１０は、例えばｅＮＢ２３００が使用する複数の周波数帯域と共用してもよい。なお、図２２にはｅＮＢ２３００が複数のアンテナ２３１０を含む例を示したが、ｅＮＢ２３００は単一のアンテナ２３１０を含んでもよい。
【０１３０】
基地局デバイス２３２０は、コントローラ２３２１、メモリ２３２２、ネットワークインタフェース２３２３、及び無線通信インタフェース２３２５を含む。
【０１３１】
コントローラ２３２１は、例えばＣＰＵ又はＤＳＰであってよく、基地局デバイス２３２０の上位レイヤの様々な機能を操作する。例えば、コントローラ２３２１は、無線通信インタフェース２３２５により処理された信号内のデータからデータパケットを生成し、生成したパケットをネットワークインタフェース２３２３を介して転送する。コントローラ２３２１は、複数のベースバンドプロセッサからのデータをバンドリングすることによりバンドルドパケットを生成し、生成したバンドルドパケットを伝送してもよい。また、コントローラ２３２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ２３２２は、ＲＡＭ及びＲＯＭを含み、コントローラ２３２１により実行されるプログラム、及び様々なタイプの制御データ（例えば、端末リスト、伝送電力データ及びスケジューリングデータ）を記憶する。
【０１３２】
ネットワークインタフェース２３２３は、基地局デバイス２３２０をコアネットワーク２３２４に接続するための通信インタフェースである。コントローラ２３２１はネットワークインタフェース２３２３を介してコアネットワークノード又は他のｅＮＢと通信してもよい。この場合、ｅＮＢ２３００とコアネットワークノード又は他のｅＮＢとはロジックインタフェース（例えばＳ１インタフェースとＸ２インタフェース）により互いに接続される。ネットワークインタフェース２３２３は有線通信インタフェース、又は無線バックホール回線に用いられる無線通信インタフェースであってもよい。ネットワークインタフェース２３２３が無線通信インタフェースであると、ネットワークインタフェース２３２３は無線通信インタフェース２３２５により使用される周波数帯域よりも高い周波数帯域を無線通信に使用してもよい。
【０１３３】
無線通信インタフェース２３２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ２３１０を介して、ｅＮＢ２３００のセル内に位置する端末までの無線接続を提供する。無線通信インタフェース２３２５は、一般に、ベースバンド（ＢＢ）プロセッサ２３２６及びＲＦ回路２３２７を含んでもよい。ＢＢプロセッサ２３２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまなタイプの信号処理を実行してもよい。コントローラ２３２１の代わりに、ＢＢプロセッサ２３２６は上記ロジック機能の一部又は全部を有してもよい。ＢＢプロセッサ２３２６は通信制御プログラムを記憶するメモリであってもよく、又はプログラムを実行するように配置されるプロセッサ及び関連する回路を含むモジュールであってもよい。ＢＢプロセッサ２３２６の機能はプログラムの更新により変更可能であってもよい。当該モジュールは基地局デバイス２３２０のスロットに挿入されるカード若しくはブレードであってもよい。代わりに、当該モジュールはカード若しくはブレードに搭載されるチップであってもよい。一方、ＲＦ回路２３２７は、例えばミキサ、フィルタ及びアンプを含んでもよく、アンテナ２３１０を介して無線信号を送受信する。
【０１３４】
図２２に示すように、無線通信インタフェース２３２５は複数のＢＢプロセッサ２３２６を含んでもよい。例えば、複数のＢＢプロセッサ２３２６は、ｅＮＢ２３００が使用する複数の周波数帯域と共用されてもよい。図２２に示すように、無線通信インタフェース２３２５は複数のＲＦ回路２３２７を含んでもよい。例えば、複数のＲＦ回路２３２７は複数のアンテナ素子と共用されてもよい。図２２は、無線通信インタフェース２３２５が複数のＢＢプロセッサ２３２６と複数のＲＦ回路２３２７とを含む例を示したが、無線通信インタフェース２３２５は単一のＢＢプロセッサ２３２６又は単一のＲＦ回路２３２７を含んでもよい。
【０１３５】
図２２に示すｅＮＢ２３００において、本発明の実施例による基地局側の情報処理装置の送受信装置又は送受信ユニットは、無線通信インタフェース２３２５により実現されてもよい。本発明の実施例による基地局側の電子機器又は情報処理装置の処理回路及び／又はそれぞれのユニットの機能の少なくとも一部は、コントローラ２３２１により実現されてもよい。例えば、コントローラ２３２１は、メモリ２３２２に記憶されているプログラムを実行することで本発明の実施例による基地局側の電子機器又は情報処理装置の処理回路及び／又はそれぞれのユニットの機能の少なくとも一部を実行してもよい。
【０１３６】
以上で、本発明の具体的な実施例の記述において、一種の実施形態に対して記述及び／又は示す特徴は、同一又は類似の方式で一つ又は複数の他の実施形態で使用し、他の実施形態における特徴と組合せ、又は他の実施形態における特徴を置き換えることができる。
【０１３７】
なお、用語「含む／包含」は、本文で使用される際に、特徴、要素、ステップ又はコンポーネントの存在を指し、一つ又は複数の他の特徴、要素、ステップ又はコンポーネントの存在又は添加を排除しない。
【０１３８】
上記の実施例と例において、数字からなる符号を用いて各ステップ及び／又はユニットを示した。当業者であれば、これらの符号は、記述と製図を便宜に行うためのものであり、その順序又はいかなる他の限定をするものではないと理解すべきである。
【０１３９】
また、本発明の方法は、明細書に記述される時間順に従って実行することを限定せず、他の時間順に従って、並行又は独立に実行されることも可能である。従って、本明細書に記述される方法の実行順は、本発明の技術的範囲を制限しない。
【０１４０】
以上に本発明の具体的な実施例についての記述で本発明を開示したが、上記の全ての実施例と例示は例示的であり、制限するものではないと理解すべきである。当業者は付随する特許請求の範囲の精神と範囲において、本発明に対する各種の修正、改進または均等物を設計することができる。これらの修正、改進または均等物も本発明の保護範囲に該当することは明らかである。
【図１】
2019510382.tif 000004
【図２】
2019510382.tif 000005
【図３Ａ】
2019510382.tif 000006
【図３Ｂ】
2019510382.tif 000007
【図４】
2019510382.tif 000008
【図５】
2019510382.tif 000009
【図６】
2019510382.tif 000010
【図７】
2019510382.tif 000011
【図８】
2019510382.tif 000012
【図９】
2019510382.tif 000013
【図１０】
2019510382.tif 000014
【図１１】
2019510382.tif 000015
【図１２】
2019510382.tif 000016
【図１３】
2019510382.tif 000017
【図１４】
2019510382.tif 000018
【図１５】
2019510382.tif 000019
【図１６】
2019510382.tif 000020
【図１７】
2019510382.tif 000021
【図１８】
2019510382.tif 000022
【図１９】
2019510382.tif 000023
【図２０】
2019510382.tif 000024
【図２１】
2019510382.tif 000025
【図２２】
2019510382.tif 000026
【図２３Ａ】
2019510382.tif 000027
【図２３Ｂ】
2019510382.tif 000028
【図２３Ｃ】
2019510382.tif 000029
【図２３Ｄ】
2019510382.tif 000030
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
電子機器であって、
処理回路を含み、
前記処理回路は、
少なくとも一つのユーザ機器のアンライセンスバンドにおけるアップリンク伝送の成功率に関する情報を取得し、前記ユーザ機器は、コンテンションウィンドウサイズを可変とするランダムバックオフプロセスを含むチャネル検出プロセスを用いて、前記アンライセンスバンドに対してキャリアセンスを行い、
前記情報に基づいて、前記ユーザ機器の前記コンテンションウィンドウサイズを調整し、
調整されたコンテンションウィンドウサイズ、又は前記調整されたコンテンションウィンドウサイズに基づいて生成されたランダムバックオフカウンタ値を、前記ユーザ機器に通知するように、制御を実行する、ように配置されている電子機器。
【請求項２】
前記情報は、前記ユーザ機器のうちの第１のユーザ機器の先行のアップリンク伝送バーストの少なくとも一つのサブフレームにおけるアップリンク伝送の成功率を指示し、前記第１のユーザ機器は、前記少なくとも一つのサブフレーム内でスケジューリングされ、且つ、
前記調整は、前記第１のユーザ機器の前記コンテンションウィンドウサイズの調整を含む請求項１に記載の電子機器。
【請求項３】
前記少なくとも一つのサブフレームは、前記第１のユーザ機器が前記先行のアップリンク伝送バーストにおいてスケジューリングされたサブフレームのうちの最後のサブフレームである請求項２に記載の電子機器。
【請求項４】
前記少なくとも一つのサブフレームは、前記第１のユーザ機器が前記先行のアップリンク伝送バーストにおいてスケジューリングされた全てのサブフレームを含む請求項２に記載の電子機器。
【請求項５】
前記情報は、全ての前記ユーザ機器の先行のアップリンク伝送バーストの少なくとも一つのサブフレームにおけるアップリンク伝送の成功率を指示する請求項１に記載の電子機器。
【請求項６】
前記少なくとも一つのサブフレームは、前記先行のアップリンク伝送バーストの最後の一つのサブフレームである請求項５に記載の電子機器。
【請求項７】
前記少なくとも一つのサブフレームは、前記先行のアップリンク伝送バーストの全てのサブフレームを含む請求項５に記載の電子機器。
【請求項８】
前記アップリンク伝送は、物理アップリンク共有チャネル伝送を含む請求項１〜７のいずれか一項に記載の電子機器。
【請求項９】
前記調整は、前記成功率が所定の閾値よりも低い場合に、前記コンテンションウィンドウサイズを大きくすることを含む請求項１〜７のいずれか一項に記載の電子機器。
【請求項１０】
前記コンテンションウィンドウサイズは、複数の所定のコンテンションウィンドウサイズから選択され、且つ、
前記調整は、前記所定のコンテンションウィンドウサイズに対する選択を切り替えることを含む請求項１〜７のいずれか一項に記載の電子機器
【請求項１１】
前記複数の所定のコンテンションウィンドウサイズは、チャネルアクセス優先度に応じて予め確定された複数のグループの所定のコンテンションウィンドウサイズを含む請求項１０に記載の電子機器。
【請求項１２】
前記処理回路は、アンライセンスバンドでの複数のキャリアの各々に対して、前記取得と前記調整とを行うように配置されており、
前記制御は、
相応するキャリアに対して調整されたコンテンションウィンドウサイズ、又は調整されたコンテンションウィンドウサイズに基づいて相応して生成されたランダムバックオフカウンタ値を前記ユーザ機器に通知して、相応するキャリアに用いることを含む請求項１〜７のいずれか一項に記載の電子機器。
【請求項１３】
前記処理回路は、アンライセンスバンドでの複数のキャリアの各々に対して、前記取得と前記調整とを行うように配置されており、
前記制御は、
各キャリアに対して調整されたコンテンションウィンドウサイズのうちの最大コンテンションウィンドウサイズに基づいて、ランダムバックオフカウンタ値を生成し、
前記最大コンテンションウィンドウサイズに基づいて生成された前記ランダムバックオフカウンタ値を、前記ユーザ機器に通知して、全部のキャリアのキャリアセンスに用いる、ことを含む請求項１〜７のいずれか一項に記載の電子機器。
【請求項１４】
前記処理回路は、
第１のユーザ機器が複数のキャリアの各々で先行のアップリンク伝送バーストにおいてスケジューリングされたサブフレームのうちの最後のサブフレームに応じて、前記情報を取得するとともに、第１のユーザ機器のプライマリキャリアに用いられるコンテンションウィンドウサイズを調整する方式、
第１のユーザ機器が前記複数のキャリアの各々で先行のアップリンク伝送バーストにおいてスケジューリングされた全てのサブフレームに応じて、前記情報を取得するとともに、第１のユーザ機器の前記プライマリキャリアに用いられるコンテンションウィンドウサイズを調整する方式、
全てのユーザ機器の前記複数のキャリアの各々での先行のアップリンク伝送バーストにおける最後のサブフレームに応じて、前記情報を取得するとともに、全てのユーザ機器の前記プライマリキャリアに用いられるコンテンションウィンドウサイズを調整する方式、及び
全てのユーザ機器の前記複数のキャリアの各々での先行のアップリンク伝送バーストにおける全てのサブフレームに応じて、前記情報を取得するとともに、全てのユーザ機器の前記プライマリキャリアに用いられるコンテンションウィンドウサイズを調整する方式、の一つにより、アンライセンスバンドでの複数のキャリアにおけるプライマリキャリアに対して前記取得と前記調整とを行うように配置される請求項１〜７のいずれか一項に記載の電子機器。
【請求項１５】
前記処理回路は、アンライセンスバンドでの複数のキャリアの各々に対して前記取得と前記調整を行うように配置されており、
前記制御は、
各キャリアに対して調整されたコンテンションウィンドウサイズのうちの最大コンテンションウィンドウサイズに基づいて、ランダムバックオフカウンタ値を生成し、
前記最大コンテンションウィンドウサイズに基づいて生成された前記ランダムバックオフカウンタ値を、前記ユーザ機器に通知して、プライマリキャリアのチャネル検出プロセスに用いることを含む請求項１〜７のいずれか一項に記載の電子機器
【請求項１６】
電子機器であって、
処理回路を含み、
前記処理回路は、
コンテンションウィンドウサイズ、又は前記コンテンションウィンドウサイズに基づいて生成されたランダムバックオフカウンタ値を指示する情報を取得するように、制御を実行し、前記コンテンションウィンドウサイズは、少なくとも一つのユーザ機器のアンライセンスバンドにおけるアップリンク伝送の成功率に基づいて調整され、
前記コンテンションウィンドウサイズ、又は前記ランダムバックオフカウンタ値に基づいて、コンテンションウィンドウサイズを可変とするランダムバックオフプロセスを用いてアンライセンスバンドに対して行うキャリアセンスを制御するように配置されている電子機器。
【請求項１７】
情報処理方法であって、
コンテンションウィンドウサイズ、又は前記コンテンションウィンドウサイズに基づいて生成されたランダムバックオフカウンタ値を指示する情報を受信し、
少なくとも一つのユーザ機器のアンライセンスバンドにおける先行のアップリンク伝送の成功率を指示する情報を取得し、
前記少なくとも一つのユーザ機器の先行のアップリンク伝送の成功率を指示する情報に基づいて前記コンテンションウィンドウサイズを調整し、
調整された前記コンテンションウィンドウサイズ、又は前記ランダムバックオフカウンタ値に基づいて、コンテンションウィンドウサイズを可変とするランダムバックオフプロセスを用いてアンライセンスバンドに対してキャリアセンスを行う、ことを含む情報処理方法。
【請求項１８】
無線通信システムにおける電子機器であって、
少なくとも一つの回路を含み、
基地局からアップリンクスケジューリングライセンスを受信し、
前記電子機器のアンライセンスバンドにおける先行のアップリンク伝送の成功率を指示する情報を取得し、前記情報は少なくとも、前記先行のアップリンク伝送の最後のサブフレームと全てのサブフレームの少なくとも一つにおける前記先行のアップリンク伝送の成功率を指示し、
前記アンライセンスバンドに対してキャリアセンスを行うためのコンテンションウィンドウサイズ、又は前記コンテンションウィンドウサイズに基づいて生成されたランダムバックオフカウンタ値を調整し、
調整されたコンテンションウィンドウサイズ、又は前記ランダムバックオフカウンタ値に基づいて、アンライセンスバンドに対してキャリアセンスを行うように配置されている無線通信システムにおける電子機器。
【国際調査報告】
2019510382.tif 000031
2019510382.tif 000032
2019510382.tif 000033
2019510382.tif 000034